(57)【要約】ハイバックは、乗り手の足と協働して乗り手の足からハイバックへの力の伝達を行なう、ハイバックから調節可能に延在する翼形状足支持体を含む。支持体はハイバックに対して複数の位置の間で可動であり、それにより乗り手が乗り手の特定のライディングの好みに対処するように支持体の位置を選択的に調節可能である。調節可能な支持体は、ボードへの所望の力伝達の選択を容易にし、ボードの制御を向上し得る。【実用新案登録請求の範囲】
【請求項１】
乗り手の脚とインターフェイスしかつ滑走ボードによって支持可能である構成要素と併せて用いるためのハイバックであって、前記構成要素に装着されかつ乗り手の脚の後ろ部分によって接触されるよう構築され配置されるハイバック本体と、前記ハイバック本体から横方向に調節可能に延在する翼形状脚支持体とを含み、前記支持体は、乗り手の脚と協働して乗り手の脚から前記ハイバック本体に力を伝達するよう構築され配置され、前記支持体は、乗り手が前記ハイバック本体に対する支持体の位置を選択的に調節し得るよう、前記ハイバック本体に対して複数の位置の間で可動である、ハイバック。
【請求項２】
前記複数の位置は、複数の直線状の位置および複数の角度を有する位置のうちの少なくとも１つを含む、請求項１に記載のハイバック。
【請求項３】
前記支持体は、前記支持体が前記ハイバック本体の第１の側部から延在する第１の横方向の位置および、前記支持体が前記ハイバック本体の第２の側部から延在する第２の横方向の位置のうちの１つで、前記ハイバック本体に選択的に搭載するよう構築され配置される、請求項１に記載のハイバック。
【請求項４】
前記支持体は前記ハイバック本体に搭載されて前記支持体が前記ハイバック本体の第１の側部から延在し、前記ハイバックは前記ハイバック本体に搭載される第２の翼形状脚支持体を含んで前記第２の支持体が前記ハイバック本体の第２の側部から延在する、請求項１に記載のハイバック。
【請求項５】
前記支持体は、中に形成される少なくとも１つのスロットを含み、前記支持体の前記ハイバック本体への調節可能な搭載を容易にする、請求項１に記載のハイバック。
【請求項６】
前記支持体は、乗り手の脚の一部に適合するよう整形される、請求項１に記載のハイバック。
【請求項７】
前記支持体は、アーチ状に整形される、請求項１に記載のハイバック。
【請求項８】
前記支持体は、横方向に延長する、請求項１に記載のハイバック。
【請求項９】
前記支持体は、前記ハイバック本体と嵌め合い係合し前記支持体を複数の位置のうちの１つに維持する複数の歯を含む、請求項１に記載のハイバック。
【請求項１０】
前記ハイバック本体は、前記支持体の複数の歯と嵌め合い係合する複数の歯を含む、請求項９に記載のハイバック。
【請求項１１】
前記ハイバック本体は、前記支持体に向き合う内側表面を含み、前記内側表面は一般的に凹状の形状を有し、前記支持体は、前記ハイバック本体の内側表面の一般的に凹状の形状に適合する形状を有する搭載表面を含む、請求項１に記載のハイバック。
【請求項１２】
前記支持体は、前記ハイバック本体に反する内側表面を含み、前記支持体は、前記内側表面の少なくとも一部に搭載されるパッドを含む、請求項１に記載のハイバック。
【請求項１３】
前記ハイバック本体に搭載され、かつ前記構成要素に対して複数の位置のうちの１つにおいて前記ハイバックを選択的に位置決めするよう前記構成要素と協働するよう構築され配置される、フォワードリーンアジャスタをさらに含む、請求項１に記載のハイバック。
【請求項１４】
前記フォワードリーンアジャスタは、前記ハイバック本体を前記構成要素にロックするよう構築され配置されるフォワードリーンロックを含む、請求項１３に記載のハイバック。
【請求項１５】
前記構成要素との組合せにおいて、前記ハイバック本体は前記構成要素に搭載される、請求項１に記載のハイバック。
【請求項１６】
前記ハイバック本体は前記構成要素に旋回的に搭載される、請求項１５に記載の組合せ。
【請求項１７】
前記ハイバック本体は、前記構成要素に対して複数のフォワードリーン位置のうちの１つに選択的に位置決めし得る、請求項１６に記載の組合せ。
【請求項１８】
前記ハイバック本体が前記構成要素に対して捩れることを防ぐよう、前記ハイバック本体は前記構成要素にロック可能である、請求項１６に記載の組合せ。
【請求項１９】
前記ハイバック本体は、前記構成要素に対する横方向の回転のために前記構成要素に搭載される、請求項１３に記載の組合せ。
【請求項２０】
前記構成要素はスノーボードビンディングである、請求項１５に記載の組合せ。
【請求項２１】
前記構成要素はスノーボードブーツである、請求項１５に記載の組合せ。
【請求項２２】
前記構成要素は、スノーボードビンディングを備えたスノーボードブーツとインターフェイスするよう構築され配置される、取外し可能ビンディングインターフェイスである、請求項１５に記載の組合せ。
【請求項２３】
乗り手の脚とインターフェイスしかつ滑走ボードによって支持可能である構成要素と併せて用いるためのシステムであって、
前記構成要素に搭載されかつ乗り手の脚の後ろ部分によって接触されるよう構築され配置されるハイバックと、
複数の交換可能脚支持体を含み、前記支持体の各々は、前記ハイバックに搭載されかつ前記ハイバックから横方向に延在するよう構築され配置され、前記支持体の各々は、乗り手の脚から前記ハイバックへ力を伝達するために乗り手の脚と協働するよう構築され配置される、システム。
【請求項２４】
前記支持体のうち少なくとも１つは、前記ハイバックに対して複数の位置の間で取外し可能に前記ハイバックに搭載され、乗り手が前記ハイバックに対する支持体の位置を選択的に調節し得るよう構築され配置される、請求項２３に記載のシステム。
【請求項２５】
前記複数の位置は、複数の直線的位置と複数の角度のある位置のうちの少なくとも１つを含む、請求項２４に記載のシステム。
【請求項２６】
少なくとも１つの支持体は、前記支持体が前記ハイバックの第１の側部から延在する第１の横方向の位置および、前記支持体が前記ハイバックの第２の側部から延在する第２の横方向の位置のうちの１つで、前記ハイバック本体に選択的に搭載されるよう構築され配置される、請求項２３に記載のシステム。
【請求項２７】
第１の支持体は、前記ハイバックに搭載可能であり、それにより前記第１の支持体は、第１の支持体が前記ハイバックに搭載される場合に前記ハイバックの第１の側部から延在し、第２の支持体は、前記ハイバックに搭載可能であり、それにより第２の支持体が前記ハイバックに搭載される場合に前記ハイバックの第２の側部から延在する、請求項２３に記載のシステム。
【請求項２８】
少なくとも１つの支持体は、中に形成される少なくとも１つのスロットを含み、少なくとも１つの支持体の前記ハイバックへの調節可能な搭載を容易にする、請求項２３に記載のシステム。
【請求項２９】
支持体の各々は独自の形状を有する、請求項２３に記載のシステム。
【請求項３０】
少なくとも１つの支持体は、乗り手の脚の一部に適合するよう整形される、請求項２３に記載のシステム。
【請求項３１】
少なくとも１つの支持体はアーチ状に整形される、請求項２３に記載のシステム。
【請求項３２】
前記支持体は横方向に延長する、請求項２３に記載のシステム。
【請求項３３】
少なくとも１つの支持体は、前記支持体が前記ハイバックに搭載される場合に前記ハイバックと嵌め合い係合するよう構築され配置される複数の歯を含み、前記支持体を複数の位置のうちの１つに維持する、請求項２４に記載のシステム。
【請求項３４】
前記ハイバックは、前記支持体が前記ハイバックに搭載される場合に少なくとも１つの支持体の複数の歯と嵌め合い係合するよう構築され配置される複数の歯を含む、請求項３３に記載のシステム。
【請求項３５】
前記ハイバックは、搭載された場合に支持体に向き合う内側表面を有し、前記内側表面は一般的に凹状の形状を有し、支持体のうちの少なくとも１つは前記ハイバックの内側表面の一般的に凹状の形状と適合する形状を有する搭載表面を含む、請求項２３に記載のシステム。
【請求項３６】
少なくとも１つの支持体は、搭載された場合に前記ハイバックに反する内側表面を含み、前記少なくとも１つの支持体は、前記内側表面の少なくとも一部に搭載されるパッドを含む、請求項２３に記載のシステム。
【請求項３７】
前記複数の支持体と交換可能である充填パッドをさらに含み、前記充填パッドは第１および第２の側部を有し、前記ハイバックは、第１および第２の側部を有し、前記充填パッドは前記ハイバックに搭載されて前記充填パッドの前記側部が前記ハイバックの側部の境界内に制限されるよう構築され配置される、請求項２３に記載のシステム。
【請求項３８】
前記ハイバックに搭載されかつ前記構成要素と協働して構成要素に対して複数の位置のうちの１つに前記ハイバックを選択的に位置決めするよう構築され配置されるフォワードリーンアジャスタをさらに含む、請求項２３に記載のシステム。
【請求項３９】
前記フォワードリーンアジャスタは、前記ハイバックを前記構成要素にロックするよう構築され配置されるフォワードリーンロックを含む、請求項３８に記載のシステム。
【請求項４０】
前記構成要素との組合せにおいて、前記ハイバックは前記構成要素に搭載される、請求項２３に記載のシステム。
【請求項４１】
前記ハイバックは前記構成要素に旋回的に搭載される、請求項４０に記載の組合せ。
【請求項４２】
前記ハイバックは、前記構成要素に対して複数のフォワードリーン位置のうちの１つに選択的に位置決め可能である、請求項４１に記載の組合せ。
【請求項４３】
前記ハイバックは、前記構成要素に対する前記ハイバックの捩れを防ぐために構成要素にロック可能である、請求項４１に記載の組合せ。
【請求項４４】
前記ハイバックは、前記構成要素に対する横向きの回転のために前記構成要素に搭載される、請求項４０に記載の組合せ。
【請求項４５】
前記構成要素はスノーボードビンディングである、請求項４０に記載の組合せ。
【請求項４６】
前記構成要素はスノーボードブーツである、請求項４０に記載の組合せ。
【請求項４７】
前記構成要素は、スノーボードビンディングを備えたスノーボードブーツとインターフェイスするよう構築され配置される取外し可能ビンディングインターフェイスである、請求項４０に記載の組合せ。
【請求項４８】
ハイバックと併せて用いるための翼形状脚支持体であって、前記ハイバックは乗り手の脚とインターフェイスしかつ滑走ボードによって支持可能である構成要素と併せて用いるためのものであり、前記支持体は、
本体部分と、
前記本体部分から延在し、乗り手の脚と協働して乗り手の脚から前記ハイバックに力を伝達するよう構築され配置される翼部分と、
支持体を前記ハイバックに対して複数の位置で搭載することにより、乗り手が支持体の位置を前記ハイバックに対して選択的に調節し得るよう構成され配置される本体部分上に形成される複数の装着点とを含む、支持体。
【請求項４９】
複数の装着点は少なくとも１つのスロットを含む、請求項４８に記載の支持体。
【請求項５０】
前記翼部分は、乗り手の脚の一部と適合するよう整形される、請求項４８に記載の支持体。
【請求項５１】
前記翼部分はアーチ状に整形される、請求項４８に記載の支持体。
【請求項５２】
前記本体部分は、前記支持体が前記ハイバックに搭載される場合に前記ハイバックと嵌め合い係合するよう構築され配置される複数の歯を含み、前記支持体を複数の位置のうちの１つに維持する、請求項４８に記載の支持体。
【請求項５３】
前記支持体は、搭載された場合に前記ハイバックに反する内側表面を含み、前記支持体は前記内側表面の少なくとも一部に搭載されるパッドを含む、請求項４８に記載の支持体。
【請求項５４】
ハイバックと併せて用いるための翼形状脚支持体であって、前記ハイバックは、乗り手の脚とインターフェイスしかつ滑走ボードによって支持可能である構成要素と併せて用いるためのものであり、前記支持体は、
本体部分と、
前記本体部分から延在し、乗り手の脚と協働して乗り手の脚から前記ハイバックに力を伝達するよう構築され配置される翼部分と、
前記本体部分と前記翼部分との間に形成される強化部分とを含む、支持体。
【請求項５５】
前記強化部分は、複数の強化リブを含む、請求項５４に記載の支持体。
【請求項５６】
前記翼部分は、前記本体部分の厚みよりも大きな厚みを含む、請求項５４に記載の支持体。
【請求項５７】
前記本体部分は、前記ハイバックに対して複数の位置に支持体を搭載することにより、乗り手が支持体の位置を前記ハイバックに対して選択的に調節し得るよう構築され配置される複数の装着点を含む、請求項５４に記載の支持体。
【考案の詳細な説明】
【０００１】
考案の背景
考案の分野
この考案は一般的に、スノーボードなどの滑走スポーツのためのハイバックに関し、より特定的には、ハイバックのための翼形状脚支持体に関する。
【０００２】
関連の技術分野の説明
スノーボードビンディングは、ブーツをスノーボードに搭載するために用いられる。しばしば、ビンディングまたはブーツは、「ハイバック」（「ローバック」または「スカイバック」としても知られる）と呼ばれ、乗り手の脚の後部分と相互作用する直立部材を含む。ハイバックは、ビンディングまたはブーツのいずれの上に搭載されるかにかかわらず、ボード間で直接力を伝達する助けをする梃子として働き、乗り手が脚の動きを介して効率的にボードを制御することを可能にする。たとえば、ハイバックに抗して脚を後に曲げると、ボードはヒールエッジで立ち、ハイバックを介して作用する対応の体重とバランスとのシフトがヒールサイドターンを完了させる。
【０００３】
スノーボードビンディングは典型的には、スノーボードに搭載されて乗り手がボードに対するビンディングの所望のスタンス角度を選択することを可能にする。特定的には、ビンディングの中線とスノーボードの中線との間の角度は、トリックライディング、バックカントリーライディングまたは単純な移動などの異なったライディングスタイル、異なった乗り手、および乗り手の好みのために変えることができる。スタンス角度は、０°から４５°またはそれ以上に広がり得る。一旦所望のスタンス角度が設定されてから、ハイバックがビンディングまたはブーツのどちらに搭載されていても、乗り手がハイバックを再位置決めして、ハイバックが一般的にボードのヒールエッジで位置合わせされることを望むかもしれない。ハイバックをボードのヒールエッジと位置合わせすると、ヒールサイドターンの間に乗り手がハイバックに寄り掛かった場合に乗り手の脚からの力伝達を向上させる。これは、ハイバックを実質的に垂直軸を中心とした横方向回転のために搭載することにより達成し得る。
【０００４】
この考案の目的は、ボード制御のためのハイバックを提供することである。
考案の概要
一実施例においては、乗り手の脚とインターフェイスしかつ滑走ボードによって支持可能である構成要素と併せて用いるためのハイバックが提供される。ハイバックは、構成要素に搭載され、かつ乗り手の脚の後部分によって接触されるよう構築され配置されるハイバック本体を含む。ハイバックはさらに、ハイバック本体から横方向に調節可能に延在する翼形状の脚支持体を含む。翼形状の脚支持体は、乗り手の脚からハイバック本体に力を伝達するよう乗り手の脚と協働するよう構築され配置される。翼形状脚支持体は、ハイバック本体に対して複数の位置の間で可動であり、それによりハイバック本体に対する翼形状脚支持体の位置は乗り手によって選択的に調節し得る。
【０００５】
別の例示的な実施例においては、乗り手の脚とインターフェイスしかつ滑走ボードによって支持可能である構成要素と併せて用いるためのシステムが提供される。システムは、構成要素に搭載されかつ乗り手の脚の後部分によって接触されるよう構築され配置されるハイバックを含む。システムはまた、交換可能な複数の脚支持体を含む。支持体の各々は、ハイバックに搭載されかつハイバックから横方向に延在するように構築され配置される。支持体の各々は、乗り手の脚と協働して乗り手の脚からハイバックへ力を伝達するよう構築され配置される。
【０００６】
別の例示的な実施例においては、ハイバックと併せて用いるための翼形状脚支持体が提供される。ハイバックは、乗り手の脚とインターフェイスしかつ滑走ボードによって支持可能である構成要素と併せて用いられる。翼形状脚支持体は、本体部分と、本体部分から延在する翼部分とを含む。翼形状脚支持体は、乗り手の脚と協働して乗り手の脚からハイバックへ力を伝達するよう構築され配置される。翼形状脚支持体をハイバックに対して複数の位置で搭載するよう構築され配置される複数の装着点が本体部分上に形成されて、乗り手がハイバックに対する翼形状脚支持体の位置を選択的に調節し得る。
【０００７】
さらなる別の例示的な実施例においては、ハイバックと併せて用いるための翼形状脚支持体が提供される。ハイバックは、乗り手の脚とインターフェイスしかつ滑走ボードによって支持可能である構成要素と併せて用いられる。翼形状脚支持体は、本体部分と、本体部分から延在する翼部分とを含む。翼形状脚支持体は、乗り手の脚と協働して乗り手の脚からハイバックへ力を伝達するよう構築され配置される。本体部分と翼部分との間に強化部分が形成される。
【０００８】
この考案のさまざまな実施例がある利点を提供する。この考案のすべての実施例が同じ利点を共有するのではなく、利点を共有するものもすべての条件下において共有するとは限らない。すなわちこの考案は、乗り手が調節し得るハイバックを提供するという顕著な利点を含む、さまざまな利点を提供する。
【０００９】
この考案のさらなる特徴と利点とは、この考案のさまざまな実施例の構造および動作と併せて、添付の図面を参照して以下に詳綱に説明される。
【００１０】
この考案を例示の目的で、添付の図面を参照して説明する。
詳細な説明
この考案は、ハイバックの横方向の範囲を調節するよう構成されるハイバックに向けられる。ハイバックには、そこから調節可能に延在し乗り手の脚と協働して乗り手によって起因された力を乗り手の脚からハイバックに伝達する、翼形状の脚支持体が設けられる。翼形状脚支持体は、ハイバックに対して複数の位置の間で可動であるので、乗り手の特定のライディングの好みに対処するよう乗り手が選択的に翼形状脚支持体の位置を調節し得る。
【００１１】
図１に示す１つの例示的な実施例においては、ハイバック２０は本体２１と、本体２１に調節可能に搭載される翼形状脚支持体２２とを含む。支持体２２は、乗り手の脚（図示せず）と協働して乗り手に起因する力を乗り手の脚からハイバック本体２１に伝達する。ハイバック本体２１は、スノーボードビンディングまたはスノーボードブーツなどのスノーボード構成要素に、以下に説明するように装着可能である。ハイバック本体２１は、その下側部分２８に形成され、かっブーツのヒール部分と接触するよう構成されるヒールカップ２６を含む。ハイバック本体２１の上側部分３０は、乗り手の脚の後部分に対して延在し、ボードをターンさせ制御するためのヒールサイドの支持を提供するよう構成される。少なくとも上側部分３０は、乗り手の脚またはブーツの一部の形状と該して適合するよう整形された構成を有する。
【００１２】
翼形状脚支持体２２は、ハイバック本体２１の上側部分３０に調節可能に搭載し得るが、支持体はハイバック本体２１の他の好適な部分上にも搭載し得る。ハイバック本体２１に対する支持体２２の位置は、所望の支持および／または力伝達を提供するよう乗り手によって選択され得る。一実施例においては、支持体２２はハイバック本体２１に対する複数の位置の間の、矢印「Ａ」に沿った横方向の運動のために搭載される（位置のうちの２つを点線で示す）。矢印「Ａ」に沿った支持体２２の横方向の運動は、支持体２２がハイバック本体２１に対して横から横への方向における平行移動に対して適合される場合の直線的な運動であってもよいし、支持体２２がハイバック本体２１の長手方向軸を中心とした回転のために適合される場合の角度のある運動であってもよい。支持体２２は、直線または角度がある運動の組合せのために搭載されることができることを理解されたい。
【００１３】
翼形状脚支持体２２は、ハイバック２１に調節可能に搭載されて、乗り手に所望の支持を提供する直線または角度を有するさまざまな位置に対処し得る。一実施例においては、支持体２２は支持体２２がハイバック本体２１の柱に交軸的に延在する平面に対し９０°を超えて延在するようハイバック本体２１に搭載され得る。別の実施例においては、支持体２２は１８０°まで、またはそれ以上に延在し得る。さらなる別の実施例においては、支持体２２は約１５°から約１８０°にわたる範囲内で調節可能である。他の好適な範囲は、当業者においては容易に理解されるであろう。
【００１４】
別の実施例においては、翼形状脚支持体２２はハイバック本体２１に対する複数の垂直方向の位置の間の矢印「Ｂ」に沿った垂直運動のためにハイバック本体２１に搭載される。これに代えて、支持体２２は、矢印「Ａ」および矢印「Ｂ」のそれぞれに沿った横方向および垂直方向運動の両方のためにハイバック本体２１に搭載されてもよい。支持体２２はまた、ハイバック本体２１の高さの一部、ハイバック本体２１の実質的に全体の高さ、またはそれらの間の好適な高さを包囲する高さで構成し得る。
【００１５】
支持体２２は、他の好適な調節に対処するようハイバックに搭載されることができることを理解されたい。たとえば支持体は、ハイバックに近づくかまたは離れるようハイバックに調節可能に搭載され得る。さらに、支持体がハイバックに対して１つ以上の平面に前向きまたは後向きに傾くことができるよう、支持体はハイバックに調節可能に搭載され得る。他の好適な搭載位置は、当業者においては容易に明らかとなるであろう。
【００１６】
翼形状脚支持体２２は、本体部分３４と、そこから延在する翼部分３６とを含む。本体部分３４は、翼部分３６がハイバック本体の横部分のいずれかから延在して特定の乗り手の好みまたはライディングスタイルに対処するようハイバック本体２１に搭載されることができる。さらに、図示されないが、ハイバックは２つの翼形状脚支持体を含み得る。すなわち、一方の支持体はハイバック本体２１の一方の側部から延在し、他方の支持体は、ハイバック本体２１の反対側の側部から延在する。支持体の各々は、ハイバック本体２１に独立して搭載され調節可能である。これに代えて、２つの横方向に延在し対面する翼部分を有する単一の翼形状脚支持体が、ハイバック本体２１に搭載されてもよい。
【００１７】
そのような選択可能な調節は、乗り手が支持体２２を好適な位置に設定して、ブーツ形状、乗り手の能力、および多くのライディングスタイルと状況とに対処することを可能にする。一例においては、より小さなブーツが用いられる場合ではなくより大きなブーツが用いられる場合であろうが、支持体２２はハイバック本体２１の側部からさらに離れて延在する。さらに、支持体２２は、より低いブーツが用いられる場合ではなくより高いブーツが用いられる場合に、ハイバック本体２１のより高い位置に位置決めされることができる。
【００１８】
いくつかの例においては、乗り手はアグレッシブなスタンス角度（すなわち、４５°以上に近づく）を選択し得る。しかしながら、ハイバック２０の横方向の回転は０°から約２０°の間の範囲に限定されるか、または横方向回転のためには全く搭載されないかもしれない。そのような状況においては、ハイバックをボードのヒールエッジに位置合わせすることはできないおそれがある。したがって支持体２２は、ハイバックの制限された横方向回転範囲を補償するよう、好適な位置にハイバック本体２１上で位置決めし得る。この態様で、組合された翼形状脚支持体２２とハイバック本体２１とは、所望の乗り手に起因する力がボードに伝達されるよう、ボードのヒールエッジに好適に位置合わせされることができる。
【００１９】
翼形状脚支持体２２はまた、特定のライディング条件において好ましいであろう、他の方向への力伝達を向上させるためにも用い得る。たとえば、バックカントリーライディングのように、深いパウダーの中でライディングしている場合は、乗り手はボードのテールに寄りかかって、ボードの先端がパウダーの中に潜り込むことを防ぐのを望み得る。フリーカービングの場合は、乗り手はボードの先端に寄りかかって先端を駆動し、所望のターンを行なうことを望み得る。また、ボードのターン半径を変えるために、たとえば膝を互いに押し付けて近づけるかまたは離すことにより、対向する横向きの力を加えることを望み得る。この態様で力を加えると、地面に対するボードの弧を変える傾向があり、それによりターン半径の変化をもたらす。したがって支持体２２は、上述のおよび他の乗り手の好みにおける所望の力伝達と支持とを提供するために好適な、乗り手によって選択可能ないかなる位置においても、ハイバック本体２１に位置決めすることができる。
【００２０】
翼形状脚支持体２２は、乗り手の脚またはブーツの一部に概して適合しかつ受入れるよう整形された輪郭を有することができ、圧力点を減じボードの反応を高める。１つの例示的な実施例においては、支持体２２は一般的にアーチ形状であり、所望の支持に対処するよう好適な位置に延在し得る。こうして、一実施例においては、支持体２２はハイバック本体２１に搭載される場合には、ハイバック本体２１の柱に交軸して延在する平面に対して９０°以上の弧に沿って延在し得る。別の実施例においては、支持体２２は１８０°またはそれ以上に近づく弧に沿って延在し得る。さらなる別の実施例においては、支持体２２は約１５°から約１８０°の間の弧に沿って延在し得る。他の好適な弧の範囲は、当業者においては容易に理解されるであろうが、他の好適な形状をも用い得る。そのような例の１つにおいては、翼形状脚支持体の翼部分は、乗り手の脚またはブーツの側部の少なくとも一部に接触するよう搭載されていても平坦であるか、またはわずかなカーブを有し得る。
【００２１】
示され説明される翼形状脚支持体は固定された形状を有するが、この考案はこの点に限定されるものではなく、しかも調節可能な形状の支持体をも用い得る。支持体の形状を調節するための好適な構成は、当業者においては容易に明らかとなるであろう。一例においては、支持体は２つ以上の構成要素を含み、第１の構成要素は調節可能であるか否かにかかわらずハイバックに固定され、第２の構成要素はたとえば入れ子様式などで第１の構成要素に対して可動であってもよい。さらなる構成要素もまた入れ子様式で第２の構成要素上に可動に搭載され得る。１つの構成要素が他の構成要素に対して移動すると、支持体の形状が変化し得る。
【００２２】
支持体２２のハイバック本体２１への入れ子搭載を容易にするために、図２および図３に最良に示される一実施例においては、支持体２２の本体部分３４は、ハイバック本体２１の内側表面４０に適合するよう構成される搭載表面３８を含む。たとえば、ハイバック本体２１の内側表面４０は、一般的に凹状の形状を有し、本体部分３４の搭載表面３８は一般的に凸状の形状を有し得る。これに代えて、搭載表面３８は平坦であるかわずかなカーブを有し得る。そのような実施例においては、翼部分３６の弧は搭載表面３８に延在し得る。
【００２３】
支持体２２はハイバック内に入れ子になり、搭載表面３８は内側表面４０に入れ子になるよう示され説明されるが、この考案はこの点に限定されるものではなく、他の好適な搭載構成をも用い得る。たとえば、支持体はハイバックに調節可能に搭載されることにより、支持体がハイバックの外側表面に搭載されることができる。これに代えて、ハイバックは、支持体がハイバック内に搭載されることを可能にする、ポケットまたは他の好適な構成で構成されることができる。
【００２４】
図２に最良に示されるように、ハイバック本体２１は、支持体２２が搭載されるハイバック本体２１上に搭載領域４３を規定する、縁４１を含み得る。縁４１はまた、支持体のハイバックに対する下方向の運動を妨げるために支持体と協働するよう、ハイバック本体２１上に好適に配置されうこともできる。搭載領域４３は、ハイバック本体２１の残りの部分に対して窪みが付けられていてもよい。こうして、支持体２２は、ハイバック本体の内側表面と支持体２２の内側表面との間で実質的に平坦な平行移動を提供し得る態様でハイバック本体２１に搭載されることができる。
【００２５】
支持体２２は、少なくとも１つの、好ましくは少なくとも２つのファスナ４２によってハイバック本体２１に搭載されることができる。１つの例示的な実施例においては、ファスナ４２の各々は、ねじ４４と「Ｔ」ナット４６とを含む。しかしながら、この考案はこの点に限定されるものではなく、他の好適なファスナまたは締結手段を用い得る。たとえば、道具を必要としないファスナを用い得る。そのような道具を必要としないファスナの一例はカム起動クイックリリースファスナである。当業者においては、ハイバック本体２１に対して支持体２２の位置を乗り手が調節することを可能にする、他の好適なファスナを容易に理解できるであろう。
【００２６】
支持体２２のハイバック本体２１への調節可能な搭載を容易にするために、支持体２２は複数の装着点を含み得る。図２および図３に示す例示的な実施例においては、そのような複数の装着点を提供するために搭載スロット４８を用い得る。この実施例においては、スロット４８はハイバック本体２１に対して横方向に延在し、それにより支持体２２は矢印「Ａ」に沿って調節可能に可動である（図１を参照）。特に、スロット４８は上述のように直線方向または角度を有する方向のいずれに沿った運動も可能にする。
【００２７】
再び上述のように、支持体２２は垂直方向における運動に対しても搭載可能である。この配置においては、１つ以上の垂直方向に延在するスロット（図示せず）が本体部分３４に形成されて、そのような垂直の運動を容易にする。もちろん、１つ以上のスロットがあらゆる所望の方向における運動を容易にするために、弧または他の好適な方向に沿って延在してもよい。
【００２８】
支持体２２をハイバック本体２１に調節可能に搭載するために、他の好適な搭載構成をも用い得ることが理解されるであろう。たとえば、多数の組の横方向に延在し縦方向に間隔をあけられたスロットを用いることにより、所与の組のスロットが垂直方向の位置を選択的に固定し、支持体はこのスロットの組内で横方向に調節可能であってもよい。これに代えて、垂直方向に延在し横方向に間隔をあけられたスロットの多数の組を用いることにより、所与の組のスロットが横方向の位置を選択的に固定し、支持体はこのスロットの組内で縦方向に調節可能であってもよい。別の例においては、好適な孔パターンに形成された一連の孔を用い得る。孔パターンは、いかなる所望の方向における移動をも可能にするのに十分であり得る。
【００２９】
上述のように、支持体２２は、ハイバック本体２１の側部のいずれからも延在し得る。図２および図３に示される例においては、スロット４８は支持体の中線に沿って形成され、かつ支持体２２の本体部分３４の垂直軸を中心として対称的に配置される。この態様で、支持体２２は示されるように搭載されるか、または１８０°反転されて搭載されて、ハイバック本体２１の反対側の側部から延在し得る。この態様で対称的にスロット４８を配置すると、乗り手が簡単に支持体を調節可能である。
【００３０】
スロットまたは他の成形された孔は、支持体２２がハイバック本体２１の中央部に搭載されるよう本体部分３４の垂直軸上に位置決めされてもよい。この態様で、支持体２２はハイバック本体２１のいずれの側からも延在するようにハイバック本体２１に選択的に搭載されることができる。
【００３１】
スロット４８は対称的なパターンで形成されるが、この考案はこの点に限定されるものではなく、スロット４８に対する他の好適な位置をも用い得る。たとえば、支持体がハイバック本体２１のどちら側に搭載されるかに応じて、支持体がハイバック本体２１上で垂直方向に高い位置または低い位置に位置決めされるよう、スロット４８は中線よりも上またはそれよりも下に形成されることができる。さらに、スロット４８は支持体２２内に形成されるが、この考案はこの点に限定されるものではなく、スロット４８または他の好適な搭載構成は、ハイバック本体２１内に形成されてもよい。
【００３２】
一実施例においては、翼形状脚支持体２２は、支持体がハイバック本体２１に対して横方向に滑動し得る付加的な装着点を含む。こうして、支持体２２をハイバック本体２１に搭載していた支持体２２の一部は、ここではハイバック本体２１から横方向に延在し、ハイバック本体２１から横方向に延在していた支持体２２の一部は、ここでは支持体２２をハイバック本体２１に搭載する。図４に示すように１っの例示的な実施例においては、支持体２２は、ハイバックの第１の側部５１から延在するよう構成される第１の部分４７と、ハイバック本体２１に搭載されるよう構成される第２の部分４９とを含み得る。点線で示されるように、支持体２２はハイバック本体２１に対して矢印「Ｃ」に沿って滑動することにより第１の部分４７はここで支持体２２をハイバック本体２１に搭載し、第２の部分４９はハイバック本体２１の第２の側部５３から延在し得る。スロット５７および５９は、付加的な装着点を提供するよう用いられ、かつそのような横方向の滑動に対処するために第１および第２の部分４７、４９の間に延在し得る。
【００３３】
支持体２２は、ハイバックに対していかなる好適な位置にも搭載し得ることを理解されたい。たとえば、支持体はハイバックに中央に搭載されて、第１の部分４７がハイバック本体２１の第１の側部５１から少なくとも部分的に延在し、かつ第２の部分４９がハイバック本体２１の第２の側部５３から少なくとも部分的に延在し、それにより、ハイバック本体２１の両方の側部に翼部分を提供し得る。
【００３４】
乗り手に快適さを与え、かつ乗り手が支持体２２に効率的に力を伝達し得る比較的高い摩擦を有する表面を提供するパッドを用いてもよい。この点において、パッドは乗り手のブーツの一部を掴み保持する役割を果たす。こうして、続けて図２から図３を参照すると、支持体２２の内側表面５０はここに接着されるパッド５２を含む。ハイバック本体２１の内側表面４０はまた、ヒールの保持を向上させ、衝撃を吸収し、かつブーツおよび脚にわたる圧力分散を促進するための１つ以上の弾性パッド５４をも含み得る。
【００３５】
しかしながら、乗り手の快適さおよび掴みを向上させるために他の好適な構成を用い得ることを理解されたい。たとえば、一実施例においては支持体２２は、射出成形などの従来のプラスチック成形技術を用いて快適性を提供する部分が支持体に一体化されて成形されたプラスチック材料から形成することができる。さらに、掴みを向上させるために粗くした表面は、支持体２２の内側表面５０上に形成することができる。
【００３６】
支持体２２は、少なくともファスナの一部を保持してファスナの固定を容易にするための、好適な構成を含み得る。こうして、図２に示す１つの例示的な実施例においては、支持体２２は、搭載スロット４８を中心として形成され、かつ「Ｔ」ナット４６などのファスナの一部を保持するよう整形される窪み５６を含み得る。この態様で、窪み５６のサイドウォール５８は、「Ｔ」ナット４６と係合し、ファスナを固定するためにねじ４４が回転される場合の「Ｔ」ナット４６の回転を防ぐ。窪み５６はまた、乗り手のブーツによって占有されている空間にファスナが突き出すことを防ぐことにより、支持体を用いている場合の不快感を減じる働きを果たす。示されるように支持体はそのような窪みを含むが、この考案はこの点に限定されるものではなく、他の好適な搭載構成をも用い得ることを理解されたい。
【００３７】
支持体２２のハイバック本体２１への固定を向上させるために、支持体２２は、ハイバック本体２１上に形成される対応する複数の歯６４（図２を参照）と係合するよう構成される複数の歯６２（図３を参照）によって構成されることができる。歯は、支持体および／またはハイバック本体２１に一体化して成形されることができる。この考案はこの点に限定されるものではなく、ハイバック本体２１に対して支持体２２の運動を制限するための他の好適な構成をも用い得ることを理解されたい。たとえば、支持体２２（またはハイバック本体２１）は、ハイバック本体２１（または支持体２２）内に形成される複数の嵌め合い窪みと係合する複数のピンを含み得る。これに代えて、支持体２２の嵌め合い表面３８および／またはハイバック本体２１の内側表面４０は粗くした表面を含み得る。
【００３８】
力伝達の効率性は、乗り手によって作用する支持体の剛性またはスティフネスの関数である。こうして、続けて図２および図３を参照すると、支持体２２は、本体部分３４と翼部分３６との間の接合部分に形成された強化部分７０を含み得る。強化部分７０は、支持体２２の剛性を増すことにより、乗り手に起因する力が支持体２２に加えられた場合に支持体２２の撓みを減じ、かつ力伝達における効率性を向上させる。一実施例においては、強化部分７０は、支持体２２に成形し得る複数の強化リブ７２を含む。別の実施例においては、強化部分は厚みをつけられた部分として構成される。これに代えて、翼部分３６のスティフネスを増大させるために、翼部分３６は本体部分３４の厚みよりも大きな厚みを有し得る。
【００３９】
しかしながら、強化部分７０を必ずしも用いる必要はないことを理解されたい。この意味で、支持体２２は所望の剛性を有するプラスチック以外の材料から形成し得る。たとえば、支持体は金属から形成し得るが、この場合強化部分を含む必要がないか、またはサイズを減じることができる。
【００４０】
ハイバックは、快適さおよび制御のためにハイバックのスティフネスを変更する能力を乗り手に提供するよう構成されることができる。一実施例においては、ハイバック本体２１はここに形成される開口部７４を含むことができ、それによりここを中心として曲げ領域７５が形成される。開口部７４は一般的にスロット形状であるが、ハイバック本体２１の所望の曲げ特徴を達成するためにいかなる好適に構成された開口部をも用い得る。少なくとも部分的に開口部７４を塞ぎハイバックのスティフネスを所望のレベルに増大させるための、交換可能な曲げ制御要素を用い得る。そのような調節可能スティフネスハイバックは、同時係属中の米国特許出願番号第０９／１６９，０７４号に記載されるが、これは同様にバ一トン・コーポレイションに譲渡され、ここに引用により援用される。しかしながら、ハイバックの柔軟性に対する変化は、当業者においては明らかである他のいかなる好適な態様によって実現化されてもよいことを理解されたい。たとえば、開口部ではなく、または開口部に加えて、選択された位置でハイバックの厚みを変化させることによりハイバックの柔軟性を増大させるか減少させてもよい。
【００４１】
上述のように、力伝達の効率は支持体のスティフネスの関数であるので、比較的硬いハイバック本体２１を備えた支持体２２を用いることが望ましいであろう。こうして、上述のようにハイバック本体２１が曲げ領域７５を含む場合、曲げ領域の影響を減じるよう支持体２２を構成することによりハイバック本体２１のスティフネスを増大させてもよい。１つの例示的な実施例においては、支持体２２は少なくとも部分的に開口部７４を塞ぐ曲げ制御要素７６を含み、ハイバックの剛性を増大させることができる。
【００４２】
図２および図３に示されるように曲げ制御要素７６は、ファスナ４２を受けるための孔８０を有する搭載タブ７８を含むことにより、曲げ制御要素７６をハイバック本体２１に保持する。当業者においては、他の好適な搭載構成をも簡単に理解するであろう。
【００４３】
別々の曲げ制御要素が示され説明されるが、曲げ制御要素は支持体２２の本体部分３４内に形成されることができることを留意されたい。たとえば、曲げ制御要素を支持体２２の搭載表面３８上に形成されてもよく、それにより、支持体がハイバック本体２１上に搭載される場合に、曲げ制御要素は少なくとも部分的に開口部７４を塞ぐ。
【００４４】
この考案の１つの例示的な実施例においては、各々が特定のライディングの好みのために好適な独自の形状を有し、かつ各々がハイバック本体２１に搭載可能である、複数の交換可能な脚支持体が提供される。こうして乗り手は、特定の乗り手の好みのために好適に成形された脚支持体を選択し、支持体をハイバック本体２１に搭載し得る。もし乗り手がハイバックから支持体をはずすことを所望すれば、図３に示されるように充填部材８２が、支持体２２と交換されることができる。充填部材８２は、内側表面５０’に接着される好適な搭載表面３８’およびパッド５２’を含み得る。
【００４５】
スノーボードの乗り手の脚は一般的に、バランス、制御および、特にジャンプの着地の際に衝撃をよりょく吸収するよう乗り手の脚が曲げられていることを確実にするために、ボードに対して前傾角度に保持される。乗り手の脚をそのようなスタンスに保持するために、典型的には「フォワードリーン」と呼ばれる位置においてハイバックはボードに対して傾けられる。ハイバックは、ヒールートウ方向における回転に対してスノーボード構成要素に搭載されることができ、それにより、乗り手が快適さ、制御および乗り手の特定のライディングスタイルのためにボードに対してハイバックのフォワードリーン角度を選択的に調節できる。１つの例示的な実施例においては、フォワードリーンは好適なフォワードリーンアジャスタ９０を用いて調節することができる。
【００４６】
ボードへの力伝達をさらに向上させるために、ハイバックはスノーボード構成要素にロックされてハイバックの構成要素に対する捩れを制限する。そのようなロックされた構成はフォワードリーンロックを用いて達成することができる。たとえば、フォワードリーンアジャスタ９０は、ハイバック２０を構成要素に解放可能に固定するようラッチ９２を含み得る。ラッチはフック、ベイルまたは他の好適なハイバックを構成要素に固定するための構成として構成することができる。好適なロックの一例は、同時係属中の米国特許出願番号第０８／７８０，７２２号に記載され、これはパートン・コーポレイションが所有し、ここに引用により援用される。捩れを制限するためにハイバック２０を構成要素にロックする他の好適な構成をも用い得ることを理解されたい。そのようなロック構成はハイバックまたは構成要素、またはその両方の上でのいかなる好適な位置にも位置決めできる。
【００４７】
ハイバック２０は、ビンディングまたはブーツなどのいかなる好適なスノーボード構成要素にもボード制御を容易にする態様で搭載することができる。１つの例示的な実施例においては、図５に示すように、ハイバックはビンディング１００に搭載される。ビンディングはスノーボード１０４に搭載可能であるベースプレート１０２と、好ましくは調節可能ストラップである１つ以上のビンディングストラップとを含むが、該ビンディングストラップはベースプレート１０２に装着されてブーツ（図示せず）をスノーボード１０４に固定する。ハイバックの両側の側部２５から延在する側部アーム２４は、横方向の回転および／またはフォワードリーンのためにベースプレート１０２のサイドボードに旋回的に搭載されるが、横方向の回転および／またはフォワードリーンを可能にするか否かにかかわらず、他の好適なハイバック２０をベースプレートに装着するための構成をも用い得る。示されるように、ビンディング１００は、乗り手のヒールを押さえるために脚首部分をわたって延在する脚首ストラップ１０６と、ブーツの前部分を横切り延在しこれを押さえるトウストラップ１０８とを含み得る。しかしながら、ビンディング１００は他のストラップ構成をも実現化し得ることを理解されたい。
【００４８】
しかしながらこの考案のハイバック２０は、いかなる特定の種類のビンディングにも限定されるものではない。たとえば、ハイバックは、スノーボードブーツ上に提供される対応する特徴と直接または間接的に係合するロック機構を含むステップインスノーボードビンディングによって実現化されてもよい。ハイバックは、上述のビンディングと同様の態様でビンディングベースプレートに搭載し得る。
【００４９】
別の実施例においては、ハイバック２０はスノーボードブーツに搭載される。図６に示されるように、ハイバック２０はブーツ１２０のヒール領域に搭載される。側部アーム２４は好ましくはブーツ１２０の脚首部分よりも下に装着されて、横方向の回転および／またはフォワードリーンを容易にするが、横方向の回転および／またはフォワードリーンを可能にするか否かにかかわらず、ハイバックをブーヅに装着するための他のいかなる好適な構成をも用い得る。側部アーム２４は、ねじ、リベットなどの側部アームの各々を貫通するいかなる好適なファスナ１２４を用いても、好ましくは強化された装着点１２２でブーツ１２０に装着されることができる。
【００５０】
別の実施例においては、ハイバックはブーツをビンディングにインターフェイスさせるための取外し可能なビンディングインターフェイスに搭載される。図７に示す実施例に示されるように、インターフェイス１４０は、点線で示されるブーツ１４６の脚首部分をわたって配置されるべき本体１４２と少なくとも１つの調節可能ストラップ１４４とを含む。ハイバック２０は、ハイバックの側部アーム２４を貫通する好適なファスナ１４７を用いてインターフェイス本体１４２のサイドウォールに搭載されるが、横方向の回転および／またはフォワードリーンを可能にするか否かにかかわらず、ハイバックをビンディングインターフェイスに装着するための他の好適な構成をも用い得る。インターフェイスの本体１４２は、当業者においては明らかとなるであろうが、ビンディング１５２上の対応の係合部材１５０と係合するよう適合される１つ以上の嵌め合い特徴１４８を含み得る。そのようなビンディングインターフェイス１４０とビンディング１５２との例は、パートン・コーポレイションがともに所有し、ここに引用により援用される米国特許出願第０９／０６２，１３１号に詳細に記載される。
【００５１】
理解を助けるために、かつこの考案の範囲を限定することなく、この考案が向けられる、創意に富む翼形状脚支持体を備えたハイバックは、スノーボードと併せて用いられるブーツまたはビンディングに関して特に説明された。しかしながら、この考案は他の種類の滑走ボードに関連して用い得ることを理解されたい。こうして、この考案の目的のために、「滑走ボード」は一般的に、スノーボード、スノースキー、ウォータースキー、ウェイクボード、サーフボードおよび他の乗り手が表面上を移動できるボード型の装置などの、地面に沿って滑走するために特に構成されたボードを指す。
【００５２】
この考案のいくつもの実施例を詳細に説明したので、さまざまな変更および改良が当業者においては容易に想起されるであろう。そのような変更および改良はこの考案の精神および範囲内にあるものと意図される。したがって、上述の説明は例示のためのみであり、限定的とは意図されない。この考案は、前掲の実用新案登録請求の範囲およびその等価物によって定義されるようにのみ限定される。
【図面の簡単な説明】
【図１】この考案の１つの例示的な実施例に従った、翼形状脚支持部材を備えたハイバックの斜視図である。
【図２】図１のハイバックの一部の拡大斜視図である。
【図３】図１のハイバックの拡大後部斜視図である。
【図４】この考案の別の局面に従った、翼形状脚支持体の斜視図である。
【図５】この考案の別の局面に従った、スノーボードビンディングの例示的な実施例に組入れられるハイバックの斜視図である。
【図６】この考案のさらなる局面に従ったスノーボードブーツの例示的な実施例に組入れられるハイバックの側面図である。
【図７】この考案の別の局面に従った、取外し可能なビンディングインターフェイスの例示的な実施例に組入れられたハイバックの斜視図である。
【図１】
0003103231.tif 000002
【図２】
0003103231.tif 000003
【図３】
0003103231.tif 000004
【図４】
0003103231.tif 000005
【図５】
0003103231.tif 000006
【図６】
0003103231.tif 000007
【図７】
0003103231.tif 000008
【手続補正書】
【提出日】平成13年9月18日(2001.9.18)
【手続補正１】
【補正対象書類名】図面
【補正対象項目名】全図
【補正方法】変更
【補正の内容】
【図１】
0003103231.tif 000009
【図２】
0003103231.tif 000010
【図３】
0003103231.tif 000011
【図４】
0003103231.tif 000012
【図５】
0003103231.tif 000013
【図６】
0003103231.tif 000014
【図７】
0003103231.tif 000015